(57)【要約】【課題】鉢植え又は庭植え等により植木を楽しむに際して、その作業が著しく簡便に成されるようにした「パック状植物」と言う新規な製品の提供を図る。【解決手段】単数または複数の筒状空洞部を有し、かつポリプロピレンのような合成樹脂線材により線条相互融着させて形成した透水材で製した立体網状構造体を用い、当該筒状空洞部の内部に、肥料を混ぜた土に対して所要の種子を混在させた種子包含物を収容して成るパック状種子植物。【選択図】  図１
2017000029.tif 000002
【特許請求の範囲】
【請求項１】
単数または複数の筒状空洞部を有し、かつポリプロピレンのような合成樹脂線材により線条相互融着させて形成した透水材で製した立体網状構造体を用い、当該筒状空洞部の内部に、肥料を混ぜた土に対して所要の種子を混在させた種子包含物を収容して成るパック状種子植物。
【請求項２】
全体を水溶性外装材で覆うように構成した請求項１に記載のパック状種子植物。
【発明の詳細な説明】
【技術分野】
【０００１】
本発明は、鉢植え又は庭植え等により植木を楽しむに際して、その作業が著しく簡便に成されるようにしたパック状植物に関する。
【背景技術】
【０００２】
野菜、花、観葉植物等を楽しむ場合、土と肥料との混合物を、鉢内または庭、若しくは畑等の所要箇所に混ぜ込むことにより、植え床を別途用意し、これに対象植物の種子を植えこむことを通例とした。従って、その準備には手間がかかり、素人にとっては煩雑な作業に属するものである。
【０００３】
一般的には、トレー育苗、ペーパーポット育苗、ソイルブロック育苗、ポット育苗などによって育てられた苗を、所要の場所に移すというような手法がとられている。そして、この状態で販売に供されている場合が多くみられる。然し乍ら、このような手法は、苗状植物に関してであり、種子からの育成植物に対しては不適当である。
【発明の概要】
【発明が解決しようとする課題】
【０００４】
上記した従来の育苗としての手段は、各種のものが存在し、夫々の形態での販売に供されている。然し乍ら、苗状態での販売ではカサが多くなり、輸送上の合理性を欠くばかりでなく、輸送および保管管理上の煩雑性が伴うものである。従って、種子に依る販売形態を採る場合が多くあるが、種子であると、前記したようにその発芽育苗のために、煩雑な作業が要求された。
【０００５】
本発明は上記したような従来の問題を解決した「パック状種子植物」という新規な製品の提供を図ったものである。
【課題を解決するための手段】
【０００６】
本発明は請求項１に記載のように、単数または複数の筒状空洞部を有し、かつポリプロピレンのような合成樹脂線材により線条相互融着させて形成した透水材で製した立体網状構造体を用い、当該筒状空洞部の内部に、肥料を混ぜた土に対して所要の種子を混在させた種子包含物を収容して成るパック状種子植物に係る。
【０００７】
本発明は請求項２に記載のように、全体を水溶性外装材で覆うように構成した請求項１に記載のパック状種子植物を実施の態様とする。
【発明の効果】
【０００８】
本発明は請求項１に記載のような構成の採用に基づき、すなわち、筒状空洞部の内部に、肥料を混ぜた土に対して所要の種子を混在させた種子包含物を収容してあるから、本発明の所定個所への植え付け基づきに、所要の肥料と土とを用意した植え床に対する植え付け同様な形態とされる。従って、種蒔き作業の著しい簡便化、迅速化が図られる。
【０００９】
更に本発明は、単数または複数の筒状空洞部を有し、かつポリプロピレンのような合成樹脂線材により線条相互融着させて形成した透水材で製した立体網状構造体を用いているため、その全体が扱い易く、かつ保管時または輸送時に積み重ねておいても潰れるようなことのない顕著な堅牢性が保持される。
【００１０】
同時に、植え付け後の透水性の確保、並びに、種子の発芽及び発根を妨げないばかりでなく、優れた透水性、並びに、種子に対する踏み付けに対する保護作用（防踏用ガードのような作用）を奏することが出来る。また、当該体網状構造体は、腐食の心配がないため、土中に溶け込んで悪影響を及ぼすと言うようなことが無い。そして、対象植物が終わった場合は、これを掘り起こすことにより、再利用を図ることが出来る。
【００１１】
本発明は、請求項２に記載のように、全体を水溶性外装材で覆うように構成することにより、保管時または輸送時にける土落ちの防止、並びに異種植物の付着を防止することが出来る。
【図面の簡単な説明】
【００１２】
【図１】本発明の一実施例を表した説明用斜視図である。
【図２】図１におけるＸ−Ｘ線断面図である。
【図３】本発明の他の実施例を表した同上部分の断面図である。
【発明を実施するための形態】
【００１３】
図において、Ａはポリプロピレンのような合成樹脂線材により線条相互融着させて形成した透水材で製した立体網状構造体であって、その内部には単数または複数の筒状空洞部１を形成するように構成してある。なお、当該筒状空洞部１を複数個とする場合、図示の実施例にあっては互いの側面で接するように列設してあるが、当該列設の間隔に基づき、種の植え付け間隔が決定されるため、種子の種類に合わせて最適とする間隔で連ねるように構成することが好ましい。
【００１４】
２は種子含有物であって、肥料を混ぜた土に対して所要の種子を混在させたものである。当該種子含有物２は、前記した筒状空洞部１内に収装するように構成してある。この場合、種子自体は筒状空洞部１内に位置させるように構成するが、土のような他の部分は、当該筒状空洞部１内に独立して収容することなく、立体網状構造体Ａ内全体にわたって存在するような連続性を持たせることが、種子の安定上好ましい。
【００１５】
更に、筒状空洞部１であるが、その両端は発芽及び発根を阻害しないように開口状態に保っておくことが好ましい。然し乍ら、立体網状構造体Ａの線条相互融着の間隙から発芽及び発根することも植物の種類によっては予想されるため、これは絶対的な要件ではない。
換言すると、本発明本はその使用上、縦横方向の指向性は存在しない。
また、筒状空洞部１の一側面だけを種子含有物２の脱落を防止するために網状閉鎖面とするように構成しても良い。勿論当該閉鎖は発芽、発根、透水性を阻害しない程度のものとする。
【００１６】
ところで、本発明の使用形態であるが、これは通常は数苗を対象とするが、例えば個人用としては一つ若しくは数個、また、畦道に植え付けるような場合は数メートル、更に、路肩に植え付ける場合は数十メートルに亘るような形態で実施することも出来る。また、発芽方向であるが、通常は筒状空洞部１に沿った方向を上下面とするが、側面方向を上下面として使用するような形態で実施する場合もある。
【００１７】
図３は本発明の他の実施例を表わしたものである。これは前述したような構成を具えたパック状種子植物全体を、水溶性外装材３で覆うように構成したものである。これは保管時または輸送時にける土落ちの防止、並びに異種植物の不測の付着を防止するためのものである。そして、当該外装材を水溶性としたのは、目的個所での植え込み後、当該外装材を剥離しなくても自然溶解させることが出来るようにしたためである。  
【符号の説明】
【００１８】
Ａ  立体網状構造体
１  筒状空洞部
２  種子含有物
３  水溶性外装材
【図３】
2017000029.tif 000003
【図１】
2017000029.tif 000004
【図２】
2017000029.tif 000005